(57)【要約】 【課題】簡単にお茶を入れられ、茶殻の掃除も楽な茶漉器を提供することが目的である。【解決手段】略円筒形容器で側面の１０％〜７５％程に多数の小孔が開き濾過部を形成している。側面の残りの部分は小孔がなく入り口の部分から真っ直ぐに下底まで達し茶殻受け部である滑面を形成し、底面は内側の表面が滑面である茶殻受けを形成している茶漉し器。また、側面に上記の濾過部と茶殻受けを有すると共に底面にも１０％〜７５％程に多数の小孔が開き濾過部を形成し底面における残りの部分の内側の面は滑面で構成され茶殻受け部を形成し側面の茶殻受部と滑らかに続いている茶漉し器。小孔が開くことは網部で構成されていることも含む。【選択図】  図１
2005230206.tif 000002
【特許請求の範囲】
【請求項１】
上面を湯差し用の開口とする有底略円筒形容器で側面は側面の１０％〜７５％の広さに多数の小孔の透過口を有する濾過部を形成し、残余の側面の内壁面及び底面の内壁面を滑面とする茶殻受け部をそれぞれ形成し、その茶殻受け部は入り口に接する部分から下底まで真っ直ぐに連続している茶漉器。
【請求項２】
上面を湯差し用の開口とする有底略円筒形容器で側面及び底面のそれぞれの１０％〜７５％に多数の小孔の透過口を有する濾過部を形成し、側面及び底面の残余の内壁面のそれぞれを滑面とする茶殻受け部を形成し、その茶殻受け部は入り口に接する部分から下底まで連続し真っ直ぐに下底まで達し、底面の茶殻受け部と続いている茶漉器。
【発明の詳細な説明】
【技術分野】
【０００１】
本発明は、お茶等を入れ、茶等の成分を湯の中に溶け込ませ茶殻を取り出すときに使う茶漉器に関するものである。
【背景技術】
【０００２】
茶こしとしては急須等の内部に宙吊りしうべく一端に鍔部と上部開口部に嵌入しうべく円筒部からなる保持部と、円筒部外周に少くとも一対のバネ部を固着してなることを特徴とする茶こしがある。（例えば、特許文献１参照）
【０００３】
補助具としては本体の上方膨出部下縁の鍔部の外縁に上方屈曲部を設け、該屈曲部をこし孔を有する茶こしの胴部下縁に着脱自在に嵌合せしめるようにした目詰まり防止用茶こし補助具がある。（例えば、特許文献２参照）
【０００４】
【特許文献１】実開昭６０−１０６５３５公報（第１頁）
【特許文献２】実開昭６２−１３９４２５公報（第１頁）
【発明の開示】
【発明が解決しようとする課題】
【０００５】
急須を使ってお茶を入れるとき、茶殻を取り出す場合に側壁の曲面に支えかつ入り口が狭く取り出しにくかった。入り口の狭い急須の保温効果は高いのだが急いで洗うときには不便であった。紙パックにお茶の葉を入れ紐で吊して湯呑茶碗に入れて抽出する方法は袋の中にある茶の葉を一まとめのまま、全体を振らなければならないという欠点があった。湯呑の入り口に設置し、茶の葉を入れその上から湯を注いで茶を濾す方法は、湯全体の中に茶の葉を入れるのと比べ十分に抽出できないと言う欠点があった。また、茶殻を取り出すときに、片側の網から外れた茶殻が反対側の網にかかり、これを繰り返すため非常に洗い落としにくかった。
【０００６】
本発明は茶の成分を十分に漉し出すと共に茶殻を容易に、簡単に、残さずに取り出すことが出来るようにすることを目的とするものである。
【課題を解決するための手段】
【０００７】
上記課題を達成するために本茶漉し器は、請求項１の場合は上面を湯差し用の開口とする有底略円筒形である容器の側面の１０％〜７５％の広さの部分に多数の小孔の透過口を有する濾過部（２）を形成し、残りの側面（１）と底面（４）を滑部である茶殻受けとし、請求項２の場合は上面を湯差し用の開口とする有底略円筒形の容器の側面（２）と底面（３）にそれぞれ１０％〜７５％の広さの多数の小孔の透過口を有する濾過部を形成し残りの側面（１）と底面（４）をそれぞれ滑部である茶殻受けとすることを特徴とするものである。
【発明の効果】
【０００８】
以上説明したように、本発明に係る茶漉器によれば、請求項１の場合は上面を湯差し用の開口とする本茶漉器は有底略円筒状の側面だけに濾過部を形成し残りの側面である滑面と底面の滑面を茶殻受け部とし、請求項２の場合は側面と底面に濾過部を形成し、側面と底面の残余のそれぞれの内壁面を滑面とする茶殻受け部を形成して成り、いずれの場合も側面の滑面である茶殻受け部は入り口から底面まで真っ直ぐに連続しているため、濾過部の外側から内側に向けて水を掛け濾過部に付いている茶殻を滑面である茶殻受け部の上に集めて載せ水と一緒に滑らせて容易に除去できる。
【０００９】
お茶を入れるとき、茶葉の入った本茶漉器の中にお湯が入り易く出易いので湯と茶の葉が混ざりお茶の成分を容易に抽出出きる。
茶殻を取り出しやすいため本茶漉し器の深さを深く出来るので使い易くなる。
すなわち、お茶を入れるとき茶の葉を略円筒形の本茶漉器の中に入れお湯の入った湯呑の中に入れてお茶等の成分を抽出することができる。
【発明を実施するための最良の形態】
【００１０】
以下、この発明に係る茶濾器の実施の形態につき、添付図面に基づいて説明する。図１は底面に小孔のない茶漉し器の斜視図である。側面には側面積の１０％〜７５％だけ多数の小孔の透過口を有する濾過部（２）を形成している。側面の残りの部分（１）は内側が滑面の茶殻受けで入り口の面にほぼ垂直に入り口から側面と底面との接合部にまで真っ直ぐに続いている。底面には小孔（４）はなくその内側の表面は滑面である茶殻受け部を形成し側面の茶殻受け部と接続している。底面は湯呑み茶碗等に本茶漉器を入れた場合でも倒れないように底面の中心部に対して対称にできている。取っ手をつけない場合は本茶漉器が湯呑みの上方からかなり突き出ていることが必要である。
【００１１】
図２は側面と底面に側面及び底面の面積のそれぞれ１０％〜７５％だけ多数の小孔の透過口を有する濾過部（２・３）を形成している。側面と底面の小孔が開いている部分の残りの部分はそれぞれ小孔の開いていない滑面からなり茶殻受け部（１・４）を形成し入り口から底面との境まで真っ直ぐにつながっている。側面と底面のそれぞれの境目も凹凸がなくつながっている。
取っ手が付いた場合の例である。
図３は湯呑の高さが茶漉器の高さと同じかまたは高い場合で茶漉器に取っ手（６）を付けた場合の例である。
図４は湯呑の高さが茶漉し器の高さより低い場合で茶漉器に取っ手が不要な場合の例である。
【００１２】
第５図は円筒形の一部を切り欠いて切り欠いた部分に多数の小孔を開けた濾過部（２）を設け、残りの部分は孔のない側面の滑面となっている茶殻受け部（１）及び底面の滑面である茶殻受け部（４）からなる茶漉器である。
第６図は円筒形の側面の一部分を切り欠きその下側の一部分のみを多数の小孔の透過口を有する濾過部（２）とし、その他の側面（１）及び底面（４）は小孔のない滑面である茶殻受け部である茶漉器である。取っ手が付いた場合の例である。
いずれの場合も本茶漉器の中に茶葉を入れて湯呑の中に図３、図４のように入れお茶の成分を取り出す。
【００１３】
湯呑等にお茶を入れた後洗うときに茶漉部（２・３）の外側に水を掛けて流すのだがその流す茶殻は滑面である茶殻受け部（１・４）の上に載せるようにする。お茶の葉を集めて取り出す部分である滑面である茶殻受け（１・４）の部分は小孔のない側面の滑面である茶殻受け（１）又は底面の滑面である茶殻受け（４）を使うので茶殻を取り出し易くなっている。
【００１４】
茶の葉が容器の底近くにまで達するためしっかりと漉し出すことができるとともに本茶漉器は早くお茶を入れることができるが簡単には割れたりしない材料で作る必要がある。
【００１５】
以上説明したように、本発明に係る茶漉器によれば、本茶漉器は図１、図４、図５、図６の場合のように略円筒状の側面だけに茶漉部（２）があり、図２、図３では側面（２）と底面（３）に茶漉部がある。したがっていずれの場合も茶漉部の外側から内側に向けて水を掛け茶漉部に付いている茶殻を滑面の茶殻受け部の上に載せられるため掃除が楽である。
【００１６】
お茶を入れるとき、茶葉の入った本茶漉器の中へのお湯の出入が容易なためお茶の成分が出やすい。
お茶を入れるとき茶の葉を略円筒形の本茶漉器（図３、図４）の中に入れお湯の入った湯呑の中に入れてお茶等の成分を抽出するためその湯呑（５）ですぐにお茶を飲むことができる。
多数の小孔の透過口を有するとは多数の小孔が開いていてその部分で濾過ができるということで網目になっている場合も含むことにする。
小孔は貫通孔の意味で使っているものとする。
小孔の部分の面積が少ないと茶殻を洗い流しにくくなり孔の開いていない部分が少ないと茶殻が流れなくなるので小孔の部分は側面及び底面のそれぞれ１０％〜７５％とする。
本茶漉し器に茶の葉とお湯とを同時に入れ濾過部からお茶の成分を取り出す場合もある。
本茶漉し器は従来の急須よりは軽いため茶の葉を入れた後上下にゆすり易い。
【実施例１】
【００１７】
側面に小孔があるが底面に小穴がない図１の茶漉器。
【実施例２】
【００１８】
底面と側面に小孔のある図２の茶漉器。
【図面の簡単な説明】
【００１９】
【図１】本発明の茶漉し器を示す斜視図である。
【図２】他の茶漉し器を示す斜視図である。
【図３】茶漉し器の使用状態を示す斜視図である。
【図４】他の茶漉し器の使用状態を示す斜視図である。
【図５】さらに他の茶漉し器を示す斜視図である。
【図６】同じくさらに他の茶漉し器を示す斜視図である。
【符号の説明】
【００２０】
１  小孔のない円筒状容器の側面の滑面である茶殻受け部
２  多数の小孔のある茶漉部である円筒状容器の側面部
３  多数の小孔のある茶漉部である円筒状容器の底面部
４  小孔のない円筒状容器の底面の滑面である茶殻受け部
５  湯呑
６  取っ手
【図１】
2005230206.tif 000003
【図２】
2005230206.tif 000004
【図３】
2005230206.tif 000005
【図４】
2005230206.tif 000006
【図５】
2005230206.tif 000007
【図６】
2005230206.tif 000008